(57)【要約】【課題】変位可能な表示機構を有する画像形成装置に設置されたアンテナに対して携帯端末をかざす際の操作性を向上させる。【解決手段】画像形成装置１には、装置本体１００と、この装置本体１００に対して変位可能に設けられた表示機構２００とが設けられている。また、表示機構２００の第１側縁２１１、第２側縁２１２に沿って延びる回転軸２４４が設けられ、表示機構２００は、この回転軸２４４を中心に回転して、装置本体１００に対する変位を行う。さらに、表示機構２００には、ユーザが有する携帯端末との通信（近距離無線通信（ＮＦＣ））を行うアンテナ２４１が設けられている。【選択図】図１
2016221765.tif 000002
【特許請求の範囲】
【請求項１】
装置本体と、
前記装置本体に対し変位可能に設けられ、携帯端末との通信に用いられるアンテナが設置され、情報の表示を行う表示機構と、
を備える画像形成装置。
【請求項２】
前記表示機構は、表示画面を有し、当該表示画面が前記装置本体の前面側に近づいた第１の状態と、当該表示画面が当該前面側から離れた第２の状態との少なくとも２つの状態をとることができ、
前記第２の状態から前記第１の状態へ前記表示機構が変位すると、前記アンテナが、前記装置本体の前面側へ近づく請求項１に記載の画像形成装置。
【請求項３】
前記表示機構は、回転軸を中心に回転することで前記装置本体に対する変位を行い、さらに、当該回転軸が延びる方向に沿う側縁を有し、
前記アンテナは、前記回転軸と前記側縁との間に設置されているとともに、当該回転軸および当該側縁のうちの当該回転軸に近い側に設置されていることを特徴とする請求項１又は２に記載の画像形成装置。
【請求項４】
前記装置本体には、前記画像形成装置を制御する制御部がさらに設けられ、
前記表示機構には、当該表示機構における表示を制御する制御基板が設けられ、
前記制御部と前記制御基板とを電気的に接続する接続線が設けられ、
前記アンテナは、前記制御基板に接続され、前記接続線を介して前記制御部に接続されていることを特徴とする請求項１乃至３の何れかに記載の画像形成装置。
【請求項５】
前記装置本体の予め定められた設置箇所に、他のアンテナを設置可能に構成され、
前記表示機構に設けられた前記アンテナは、前記予め定められた設置箇所に近い側とは反対側に設けられていることを特徴とする請求項１乃至４の何れかに記載の画像形成装置。
【請求項６】
前記表示機構に設けられた前記アンテナである表示機構側アンテナとは異なる他のアンテナを、前記装置本体に設置可能に構成され、
前記装置本体に前記他のアンテナが設置され且つ前記表示機構が前記第２の状態にあるときには、携帯端末をかざす先が当該他のアンテナであることを示す案内をユーザに対して行い、当該装置本体に当該他のアンテナが設置され且つ当該表示機構が当該第２の状態以外にあるときには、携帯端末をかざす先が前記表示機構側アンテナであることを示す案内をユーザに対して行う案内手段をさらに備えることを特徴とする請求項２に記載の画像形成装置。
【発明の詳細な説明】
【技術分野】
【０００１】
本発明は、画像形成装置に関する。
【背景技術】
【０００２】
特許文献１には、筐体のうちアンテナ部に対応する通信部を、上方から見通すことが可能な位置に設けた画像形成装置が開示されている。
【先行技術文献】
【特許文献】
【０００３】
【特許文献１】特開２０１３−２２８５４０号公報
【発明の概要】
【発明が解決しようとする課題】
【０００４】
画像形成装置に、携帯端末との通信を行うアンテナを設置し、このアンテナに対して携帯端末をかざすことで、画像形成装置と携帯端末との間での通信を行える。
しかしながら、画像形成装置に設けられた表示機構が変位可能な構成であると、ユーザが携帯端末をアンテナに対してかざす際に、携帯端末と変位した状態の表示機構との間で干渉が起こり、アンテナに対して携帯端末をかざす操作を行いにくくなるおそれがある。
本発明の目的は、変位可能な表示機構を有する画像形成装置に設置されたアンテナに対して携帯端末をかざす際の操作性を向上させることにある。
【課題を解決するための手段】
【０００５】
請求項１に記載の発明は、装置本体と、前記装置本体に対し変位可能に設けられ、携帯端末との通信に用いられるアンテナが設置され、情報の表示を行う表示機構と、を備える画像形成装置である。
請求項２に記載の発明は、前記表示機構は、表示画面を有し、当該表示画面が前記装置本体の前面側に近づいた第１の状態と、当該表示画面が当該前面側から離れた第２の状態との少なくとも２つの状態をとることができ、前記第２の状態から前記第１の状態へ前記表示機構が変位すると、前記アンテナが、前記装置本体の前面側へ近づく請求項１に記載の画像形成装置である。
請求項３に記載の発明は、前記表示機構は、回転軸を中心に回転することで前記装置本体に対する変位を行い、さらに、当該回転軸が延びる方向に沿う側縁を有し、前記アンテナは、前記回転軸と前記側縁との間に設置されているとともに、当該回転軸および当該側縁のうちの当該回転軸に近い側に設置されていることを特徴とする請求項１又は２に記載の画像形成装置である。
請求項４に記載の発明は、前記装置本体には、前記画像形成装置を制御する制御部がさらに設けられ、前記表示機構には、当該表示機構における表示を制御する制御基板が設けられ、前記制御部と前記制御基板とを電気的に接続する接続線が設けられ、前記アンテナは、前記制御基板に接続され、前記接続線を介して前記制御部に接続されていることを特徴とする請求項１乃至３の何れかに記載の画像形成装置である。
請求項５に記載の発明は、前記装置本体の予め定められた設置箇所に、他のアンテナを設置可能に構成され、前記表示機構に設けられた前記アンテナは、前記予め定められた設置箇所に近い側とは反対側に設けられていることを特徴とする請求項１乃至４の何れかに記載の画像形成装置である。
請求項６に記載の発明は、前記表示機構に設けられた前記アンテナである表示機構側アンテナとは異なる他のアンテナを、前記装置本体に設置可能に構成され、前記装置本体に前記他のアンテナが設置され且つ前記表示機構が前記第２の状態にあるときには、携帯端末をかざす先が当該他のアンテナであることを示す案内をユーザに対して行い、当該装置本体に当該他のアンテナが設置され且つ当該表示機構が当該第２の状態以外にあるときには、携帯端末をかざす先が前記表示機構側アンテナであることを示す案内をユーザに対して行う案内手段をさらに備えることを特徴とする請求項２に記載の画像形成装置である。
【発明の効果】
【０００６】
請求項１の発明によれば、装置本体側にアンテナを設置する場合に比べ、変位可能な表示機構を有する画像形成装置に設置されたアンテナに対して携帯端末をかざす際の操作性を向上させることができる。
請求項２の発明によれば、アンテナが装置本体の前面側へ近づかない場合に比べ、アンテナに対して携帯端末をかざす際の操作性を向上させることができる。
請求項３の発明によれば、回転軸および側縁のうちの側縁に近い側にアンテナが設置されている場合に比べ、表示機構の意図しない変位が起きにくくなる。
請求項４の発明によれば、制御部とアンテナとを接続する専用の接続線を設ける場合に比べ、装置構成の簡素化を図れる。
請求項５の発明によれば、表示機構に設けられたアンテナが、他のアンテナの設置箇所に近い側に配置されている場合に比べ、通信が行われる予定ではないアンテナと携帯端末との間での通信を抑制できる。
請求項６の発明によれば、表示機構に設けられたアンテナとは異なる機能を有するアンテナを画像形成装置に設置可能となり、また、アンテナに対して携帯端末をかざす際の操作性を向上させることができる。
【図面の簡単な説明】
【０００７】
【図１】本実施形態に係る画像形成装置を示した図である。
【図２】アンテナを説明する図である。
【図３】画像形成装置に設けられた配線、基板を説明する図である。
【図４】画像形成装置の他の構成例を示した図である。
【図５】画像形成装置の他の構成例を示した図である。
【発明を実施するための形態】
【０００８】
以下、添付図面を参照して、本発明の実施の形態について詳細に説明する。
図１は、本実施形態に係る画像形成装置１を示した図である。
本実施形態の画像形成装置１には、装置本体１００と、この装置本体１００に対して変位可能に設けられた表示機構２００とが設けられている。
【０００９】
装置本体１００には、原稿上の画像を読み取る画像読み取り機構１１０、記録材の一例である用紙への画像形成を行う画像形成機構１２０が設けられている。
また、装置本体１００は、画像形成装置１をユーザが操作する際にこのユーザに対峙する前面１００Ａを有する。また、装置本体１００は、前面１００Ａとは反対側に位置する背面（不図示）、前面１００Ａと背面とを結ぶ左側面１００Ｂ、右側面（不図示）を有する。
【００１０】
画像形成機構１２０では、いわゆる電子写真方式を用いて用紙への画像形成を行う。なお、画像の形成方式は、電子写真方式に限らず、インクジェット方式など、他の方式を用いてもよい。
表示機構２００には、液晶パネルなどにより構成された表示パネル２２０が設けられている。この表示パネル２２０は、表示画面２２１を有し、この表示画面２２１にて情報の表示を行う。さらに、表示機構２００には、表示パネル２２０における表示制御を行う制御基板（後述）が設けられている。
【００１１】
また、表示機構２００は、矩形状に形成され、第１側縁２１１〜第４側縁２１４の４つの側縁を有している。
ここで、第１側縁２１１は、図１に示すように、表示機構２００が起こされている状態（立っている状態）にて、表示機構２００の上端に位置する。また、第１側縁２１１は、水平方向に沿うように配置されている。
【００１２】
また、第２側縁２１２は、表示機構２００が起こされている状態にて、表示機構２００の下端に位置し、また、水平方向に沿って延びている。
さらに、第３側縁２１３は、表示機構２００の図中左端に位置し且つ上下方向に沿って延びている。また、第４側縁２１４は、表示機構２００の図中右端に位置し且つ上下方向に沿って延びている。
【００１３】
さらに、本実施形態では、表示パネル２２０の図中右側に、黒色の樹脂材料により構成され且つ板状に形成された外装カバー２３０が設けられている。
さらに、本実施形態では、ユーザが有する携帯端末との通信（近距離無線通信（ＮＦＣ））を行う通信部２４０が設けられている。
なお、本実施形態では、通信部２４０から情報の発信が行われるだけでなく、通信部２４０に格納された情報の書き換えを行えるようになっている。言い換えると、通信部２４０は、リード／ライト機能を備えたアクティブタグにより構成されている。
【００１４】
通信部２４０には、アンテナ２４１が設置されている。さらに、通信部２４０には、情報を記憶するためのＩＣチップ（不図示）などが設けられている。
さらに、通信部２４０には、携帯端末をかざす先を示す表示ランプ２４２（携帯端末をかざす先をユーザに知らせる表示ランプ２４２）が設けられている。
【００１５】
アンテナ２４１やＩＣチップ等は、外装カバー２３０の裏側に設けられている。本実施形態では、このアンテナ２４１を通じて、画像形成装置１とユーザが有する携帯端末との間での通信（近距離無線通信（ＮＦＣ））が行われ、これにより、例えば、画像形成装置１と携帯端末とのペアリングが行われる。また、例えば、携帯端末から画像形成装置１への情報送信や、画像形成装置１から携帯端末への情報送信が行われる。
なお、携帯端末としては、スマートフォンやタブレット端末が一例として挙げられる。
【００１６】
また、本実施形態では、表示機構２００の第１側縁２１１、第２側縁２１２に沿って延びる回転軸２４４が設けられており、表示機構２００は、この回転軸２４４を中心に回転して、装置本体１００に対する変位を行う。
ここで、アンテナ２４１は、回転軸２４４と第１側縁２１１との間に設置されているとともに、回転軸２４４および第１側縁２１１のうちの回転軸２４４に近い側に設置されている。
【００１７】
画像形成装置１と携帯端末との間で通信が行われる際、携帯端末が、表示機構２００のアンテナ２４１に対してかざされることになる。
この際、携帯端末が表示機構２００に押し当てられる場合があり、この際に、アンテナ２４１が回転軸２４４に近い側に設置されていると、アンテナ２４１が第１側縁２１１に近い側に設置されている場合に比べ、表示機構２００に作用する回転モーメントが小さくなりやすい。そして、この場合、意図しない表示機構２００の回転が抑制される。付言すると、立った状態の表示機構２００が寝てしまうことが抑制される。
【００１８】
なお、図１では、装置本体１００に対する表示機構２００の変位が行われ、表示画面２２１が装置本体１００の前面１００Ａ側に近づいた第１の状態を示している。
この第１の状態から、表示機構２００が装置本体１００の背面側に向かって押圧されると、表示機構２００が符号１Ａに示す方向へ回転し、前面１００Ａ側から表示画面２２１が離れた第２の状態（表示機構２００が寝た第２の状態）となる。
【００１９】
装置本体１００には、凹部１００Ｅが設けられ、第２の状態では、この凹部１００Ｅに、表示機構２００が収容される。
さらに、第２の状態では、装置本体１００の外表面１００Ｘと、表示機構２００の外表面（表示画面２２１）とが揃うようになる。付言すると、同一の面上に、装置本体１００の外表面１００Ｘと、表示機構２００の外表面とが位置するようになる。
【００２０】
ところで、アンテナ２４１を装置本体１００側に設けた態様も考えられるが、この場合、携帯端末をアンテナ２４１にかざす際（対向させる際）の操作性が低下するおそれがある。
具体的には、例えば、図中符号１Ｂに示す箇所にアンテナを設置した場合を想定する。この場合、例えばＡ４サイズの携帯端末などの大きめの携帯端末をアンテナにかざす際に、携帯端末と立った状態の表示機構２００との間で干渉が起こり、携帯端末をアンテナへかざす操作を行いにくくなる。
【００２１】
これに比べ、本実施形態のように、表示機構２００にアンテナ２４１が設けられていると、携帯端末と表示機構２００との干渉を避けられるようになる。
付言すると、本実施形態では、表示機構２００が寝た状態である第２の状態から、表示機構２００が立った状態である第１の状態へ表示機構２００が変位すると、アンテナ２４１が、装置本体１００の前面１００Ａ側へ近づくようになる。これにより、奥まった箇所にアンテナ２４１が設置された状態が避けられ、ユーザは、携帯端末をアンテナ２４１に対してかざす作業を行いやすくなる。
【００２２】
図２は、アンテナ２４１を説明する図である。
表示機構２００の外装カバー２３０（図１参照）の裏側には、図２に示すように、アンテナ２４１およびアンテナ２４１を収容する収容部材２４９Ａが設けられている。
収容部材２４９Ａは、直方体状に形成されている。さらに、アンテナ２４１により囲まれた領域の内側には、ＬＥＤ（Light Emitting Diode）により構成された光源２４９Ｂが設置されている。
光源２４９Ｂから出射された光は、表示ランプ２４２（図１参照）に照射され、表示ランプ２４２が点灯する。これにより、携帯端末をかざす箇所をユーザが認識しやすくなる。
【００２３】
図３は、画像形成装置１に設けられた配線、基板を説明する図である。
画像形成装置１のうちの、表示機構２００側には、図３に示すように、表示パネル２２０が設けられている。本実施形態の表示パネル２２０は、タッチパネル２２０Ａと、液晶ディスプレイ２２０Ｂとから構成されている。
さらに、表示機構２００側には、液晶ディスプレイ２２０Ｂにおける表示制御や、タッチパネル２２０Ａからの信号の受信を行う制御基板２８０が設けられている。さらに、表示機構２００には、アンテナ２４１を備えた通信部２４０が設けられている。
【００２４】
一方、装置本体１００側には、画像形成装置１の各部を制御する制御部３００が設けられている。さらに、本実施形態では、装置本体１００側に設けられたこの制御部３００と、表示機構２００に設けられた制御基板２８０とを電気的に接続する接続線４００が設けられている。
【００２５】
表示機構２００に設けられたアンテナ２４１は、制御基板２８０に一旦接続され、そして、接続線４００を介して制御部３００に接続される。これにより、装置構成の簡素化が図られている。
ここで、アンテナ２４１と制御部３００とを専用の接続線で接続する態様も考えられるが、この場合、この専用の接続線を用意する必要が生じ、製造コストの増加を招く。また専用線を設ける場合、専用線を設けない場合に比べ、装置構成が複雑化する。
これに対し、本実施形態では、アンテナ２４１を制御基板２８０に接続するだけで済み、装置構成の簡素化を図れる。また、専用線を設けずに済み、製造コストがより安価となる。
【００２６】
ところで、近年では、携帯端末との通信を行える（ＮＦＣでの通信を携帯端末との間で行える）ＩＣカードリーダが開発されており、本実施形態の画像形成装置１では、図１にて符号１Ｃで示す箇所に、後付けで、携帯端末との通信を行えるＩＣカードリーダを設置可能となっている。なお、後付けで設置されるこのＩＣカードリーダには、図１にて示した表示ランプ２４２と同様の表示ランプが設けられている。
【００２７】
ここで、ＩＣカードリーダが画像形成装置１に設置された場合の画像形成装置１の制御について説明する。
ＩＣカードリーダが画像形成装置１に設置された場合、表示機構２００の状態によって、表示ランプの点灯制御を異ならせる。
具体的には、表示機構２００が第２の状態（表示機構２００が寝た状態）にあるときには、ＩＣカードリーダに設けられた表示ランプを点灯させて、携帯端末をかざす先がＩＣカードリーダであることを示す案内をユーザに対して行う。
【００２８】
付言すると、表示機構２００が第２の状態（表示機構２００が寝た状態）にあるときには、表示機構２００の表示ランプ２４２（図１参照）を消灯するとともに、ＩＣカードリーダに設けられた表示ランプを点灯させて、携帯端末をかざす先がＩＣカードリーダであることを示す案内をユーザに対して行う。
【００２９】
一方で、表示機構２００が第１の状態（表示機構２００が立った状態、第２の状態以外の状態）にあるときには、ＩＣカードリーダに設けられた表示ランプを消灯するとともに、表示機構２００の表示ランプ２４２を点灯させて、携帯端末をかざす先が表示機構２００のアンテナ２４１であることを示す案内をユーザに対して行う。
【００３０】
なお、これらの案内は、案内手段として機能する制御部３００（図３参照）によって行われる。ここで、制御部３００は、プログラム制御されたＣＰＵ（Central Processing Unit）により構成されている。
また、第１の状態と第２の状態の何れの状態に表示機構２００があるかは、例えば、表示機構２００により押圧されてオン／オフされるスイッチ（不図示）により判別される。
【００３１】
ここで、この処理例では、表示機構２００が第１の状態（立った状態）のときには、携帯端末をかざす先が、表示機構２００のアンテナ２４１となり、上記にて説明したように、表示機構２００と携帯端末との干渉が避けられ、アンテナ２４１へ携帯端末をかざしやすくなる。
また、表示機構２００が第２の状態（寝た状態）のときには、携帯端末をかざす先が、ＩＣカードリーダとなり、携帯端末と画像形成装置１との通信の他に、ＩＣカード（不図示）からの情報の読み出しも行えるようになる。
【００３２】
なお、表示機構２００、ＩＣカードリーダに設けられた表示ランプ２４２は、黒色の板材（基材）の一部に、薄黒い透明板を配置した構成となっている。
具体的には、本実施形態の表示ランプ２４２では、図１にて示した、「ＮＦＣ」という文字２４２Ａ、および、電波の発信を示すマーク２４２Ｂの部分が、薄黒い透明板により形成され、その他の部分である地の部分が、黒色の板材（不透明の板材）により構成されている。
【００３３】
表示ランプ２４２に対して光源２４９Ｂ（図２参照）から光を照射すると、文字２４２Ａおよびマーク２４２Ｂが浮かびあがる。
一方、表示ランプ２４２に対して光を照射しない状態では、透明板と黒色の板材との間のコントラストが小さい状態となり、文字２４２Ａおよびマーク２４２Ｂが見えない状態（ユーザが気付かない状態）となる。
【００３４】
この結果、本実施形態では、光を照射した方の表示ランプのみが目立つようになり、光を照射しない表示ランプについては、ユーザが気付かないようになる。
本実施形態では、上記のとおり、表示機構２００側の表示ランプ２４２、装置本体側の表示ランプ（ＩＣカードリーダの表示ランプ）の何れか一方を点灯させるが、このとき他方は目立ちにくくなる。
これにより、２つの表示ランプのいずれのランプに対して携帯端末をかざすべきかをユーザが迷うことが起きにくくなる。
【００３５】
ここで、本実施形態では、ＩＣカードリーダ（他のアンテナ）が後付けで設置される際、予め定められた設置箇所（図１にて符号１Ｃで示す箇所）に、このＩＣカードリーダが設置される。
その一方で、表示機構２００側のアンテナについては、この予め定められた設置箇所に近い側とは反対側に設けられている。付言すると、本実施形態では、表示機構２００の図中左側に、ＩＣカードリーダが設置されるため、表示機構２００に設けられたアンテナ２４１は、表示機構２００の右側に配置されている。
【００３６】
ここで、表示機構２００のアンテナ２４１を、ＩＣカードリーダに近い側に設置すると、表示機構２００のアンテナ２４１と、ＩＣカードリーダとの離間距離が小さくなる。
かかる場合、ユーザが例えばＩＣカードリーダに携帯端末をかざして画像形成装置１との通信を行なおうとしたにも関わらず、表示機構２００側のアンテナと携帯端末との間で通信が行われることが起こりうる。
【００３７】
より具体的には、表示機構２００の状態に関わらず、表示機構２００のアンテナ２４１、ＩＣカードリーダに設けられたアンテナの両者をオンしておくことがある。
この場合、表示機構２００のアンテナ２４１とＩＣカードリーダのアンテナとの離間距離が小さいと、ユーザが一方のアンテナに対して携帯端末をかざしたにも関わらず、他方のアンテナと携帯端末との間で通信が行われることが起こりうる。
【００３８】
これに対し、本実施形態のように、表示機構２００のアンテナ２４１を、ＩＣカードリーダの設置箇所に近い側とは反対側に設けた場合、表示機構２００のアンテナ２４１とＩＣカードリーダのアンテナとの離間距離が大きくなり、通信が予定されているアンテナと携帯端末との間で通信が行われる可能性が高まる。
【００３９】
図４、図５は、画像形成装置１の他の構成例を示した図である。
この画像形成装置１では、図１にて示した画像読み取り機構１１０が設けられておらず、画像形成機構１２０のみ設けられている。さらに、この画像形成装置１でも、回転軸２４４を中心に表示機構２００が回転するようになっている。
【００４０】
さらに、上記と同様、また、符号４Ａで示すように、表示機構２００にアンテナ２４１が設置されている。このアンテナ２４１は、回転軸２４４側に設けられている。また、アンテナ２４１は、表示機構２００の図中右側に設けられている。
なお、アンテナ２４１の設置位置は、表示機構２００の右側に限られない、符号４Ｂで示すように、表示機構２００の下側に設けてもよい。また、表示機構２００の上側や左側に設置してもよい。
また、図４、図５に示す構成例では、図中、符号４Ｄで示す箇所へ、ＩＣカードリーダが取り付け可能となっている。より具体的には、ＩＣカードリーダは、表示機構２００の奥側にほぼ表示機構２００と同じ平面となるよう選択的に取り付け可能となっている。
【符号の説明】
【００４１】
１…画像形成装置、１００…装置本体、１００Ａ…前面、２００…表示機構、２１１…第１側縁、２２１…表示画面、２４１…アンテナ、２４４…回転軸、２８０…制御基板、３００…制御部、４００…接続線
【図１】
2016221765.tif 000003
【図２】
2016221765.tif 000004
【図３】
2016221765.tif 000005
【図４】
2016221765.tif 000006
【図５】
2016221765.tif 000007
【手続補正書】
【提出日】平成28年6月3日(2016.6.3)
【手続補正１】
【補正対象書類名】特許請求の範囲
【補正対象項目名】全文
【補正方法】変更
【補正の内容】
【特許請求の範囲】
【請求項１】
用紙への画像形成を行う画像形成手段を含む装置本体と、  前記装置本体に対し変位可能に設けられ、携帯端末との通信に用いられるアンテナが設置され、情報の表示を行う表示機構と、を備える画像形成装置。
【請求項２】
前記表示機構は、表示画面を有し、当該表示画面が前記装置本体の前面側に近づいた第１の状態と、当該表示画面が当該前面側から離れた第２の状態との少なくとも２つの状態をとることができ、  前記第２の状態から前記第１の状態へ前記表示機構が変位すると、前記アンテナが、前記装置本体の前面側へ近づく請求項１に記載の画像形成装置。
【請求項３】
前記表示機構は、回転軸を中心に回転することで前記装置本体に対する変位を行い、さらに、当該回転軸が延びる方向に沿う側縁を有し、  前記アンテナは、前記回転軸と前記側縁との間に設置されているとともに、当該回転軸および当該側縁のうちの当該回転軸に近い側に設置されていることを特徴とする請求項１又は２に記載の画像形成装置。
【請求項４】
前記装置本体には、前記画像形成装置を制御する制御部がさらに設けられ、  前記表示機構には、当該表示機構における表示を制御する制御基板が設けられ、  前記制御部と前記制御基板とを電気的に接続する接続線が設けられ、  前記アンテナは、前記制御基板に接続され、前記接続線を介して前記制御部に接続されていることを特徴とする請求項１乃至３の何れかに記載の画像形成装置。
【請求項５】
前記装置本体の予め定められた設置箇所に、他のアンテナを設置可能に構成され、  前記表示機構に設けられた前記アンテナは、前記予め定められた設置箇所に近い側とは反対側に設けられていることを特徴とする請求項１乃至４の何れかに記載の画像形成装置。
【請求項６】
前記表示機構に設けられた前記アンテナである表示機構側アンテナとは異なる他のアンテナを、前記装置本体に設置可能に構成され、  前記装置本体に前記他のアンテナが設置され且つ前記表示機構が前記第２の状態にあるときには、携帯端末をかざす先が当該他のアンテナであることを示す案内をユーザに対して行い、当該装置本体に当該他のアンテナが設置され且つ当該表示機構が当該第２の状態以外にあるときには、携帯端末をかざす先が前記表示機構側アンテナであることを示す案内をユーザに対して行う案内手段をさらに備えることを特徴とする請求項２に記載の画像形成装置。
【請求項７】
前記アンテナは前記表示機構の右側に位置することを特徴とする請求置１乃至６に記載の画像形成装置
【請求項８】
前記表示機構は、画像の形成が行われた用紙の排出部より上側に位置することを特徴とする請求項１乃至７に記載の画像形成装置
【手続補正２】
【補正対象書類名】明細書
【補正対象項目名】０００５
【補正方法】変更
【補正の内容】
【０００５】
請求項１に記載の発明は、用紙への画像形成を行う画像形成手段を含む装置本体と、前記装置本体に対し変位可能に設けられ、携帯端末との通信に用いられるアンテナが設置され、情報の表示を行う表示機構と、を備える画像形成装置である。  請求項２に記載の発明は、前記表示機構は、表示画面を有し、当該表示画面が前記装置本体の前面側に近づいた第１の状態と、当該表示画面が当該前面側から離れた第２の状態との少なくとも２つの状態をとることができ、前記第２の状態から前記第１の状態へ前記表示機構が変位すると、前記アンテナが、前記装置本体の前面側へ近づく請求項１に記載の画像形成装置である。  請求項３に記載の発明は、前記表示機構は、回転軸を中心に回転することで前記装置本体に対する変位を行い、さらに、当該回転軸が延びる方向に沿う側縁を有し、前記アンテナは、前記回転軸と前記側縁との間に設置されているとともに、当該回転軸および当該側縁のうちの当該回転軸に近い側に設置されていることを特徴とする請求項１又は２に記載の画像形成装置である。  請求項４に記載の発明は、前記装置本体には、前記画像形成装置を制御する制御部がさらに設けられ、前記表示機構には、当該表示機構における表示を制御する制御基板が設けられ、前記制御部と前記制御基板とを電気的に接続する接続線が設けられ、前記アンテナは、前記制御基板に接続され、前記接続線を介して前記制御部に接続されていることを特徴とする請求項１乃至３の何れかに記載の画像形成装置である。  請求項５に記載の発明は、前記装置本体の予め定められた設置箇所に、他のアンテナを設置可能に構成され、前記表示機構に設けられた前記アンテナは、前記予め定められた設置箇所に近い側とは反対側に設けられていることを特徴とする請求項１乃至４の何れかに記載の画像形成装置である。  請求項６に記載の発明は、前記表示機構に設けられた前記アンテナである表示機構側アンテナとは異なる他のアンテナを、前記装置本体に設置可能に構成され、前記装置本体に前記他のアンテナが設置され且つ前記表示機構が前記第２の状態にあるときには、携帯端末をかざす先が当該他のアンテナであることを示す案内をユーザに対して行い、当該装置本体に当該他のアンテナが設置され且つ当該表示機構が当該第２の状態以外にあるときには、携帯端末をかざす先が前記表示機構側アンテナであることを示す案内をユーザに対して行う案内手段をさらに備えることを特徴とする請求項２に記載の画像形成装置である。  請求項７に記載の発明は、前記アンテナは前記表示機構の右側に位置することを特徴とする請求置１乃至６に記載の画像形成装置である。 請求項８に記載の発明は、前記表示機構は、画像の形成が行われた用紙の排出部より上側に位置することを特徴とする請求項１乃至７に記載の画像形成装置である。
【手続補正３】
【補正対象書類名】明細書
【補正対象項目名】０００６
【補正方法】変更
【補正の内容】
【０００６】
請求項１の発明によれば、装置本体側にアンテナを設置する場合に比べ、変位可能な表示機構を有する画像形成装置に設置されたアンテナに対して携帯端末をかざす際の操作性を向上させることができる。  請求項２の発明によれば、アンテナが装置本体の前面側へ近づかない場合に比べ、アンテナに対して携帯端末をかざす際の操作性を向上させることができる。  請求項３の発明によれば、回転軸および側縁のうちの側縁に近い側にアンテナが設置されている場合に比べ、表示機構の意図しない変位が起きにくくなる。  請求項４の発明によれば、制御部とアンテナとを接続する専用の接続線を設ける場合に比べ、装置構成の簡素化を図れる。  請求項５の発明によれば、表示機構に設けられたアンテナが、他のアンテナの設置箇所に近い側に配置されている場合に比べ、通信が行われる予定ではないアンテナと携帯端末との間での通信を抑制できる。  請求項６の発明によれば、表示機構に設けられたアンテナとは異なる機能を有するアンテナを画像形成装置に設置可能となり、また、アンテナに対して携帯端末をかざす際の操作性を向上させることができる。  請求項７の発明によれば、前記アンテナは前記表示機構の右側に位置することができる。 請求項８の発明によれば、画像の形成が行われた用紙の排出部より上側に位置することができる。
【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
用紙への画像形成を行う画像形成手段を含む装置本体と、
表示画面を有し、前記装置本体に対し変位可能に設けられるとともに水平面に対して当該表示画面を傾斜させることができるように変位可能に設けられ、携帯端末との通信に用いられるアンテナが設置され、情報の表示を行う表示機構と、
前記装置本体の、前記アンテナと携帯端末との通信が行われる距離よりも離れた位置に設けられる、前記アンテナとは異なる他のアンテナと、
を備え、
前記表示画面が水平面に対して傾斜した状態では、当該表示画面が延びる方向に沿って且つ当該表示画面の上側および下側へ当該表示画面を延ばしていった先に前記装置本体が位置しない画像形成装置。
【請求項２】
前記表示機構は、前記表示画面を有し、当該表示画面が前記装置本体の前面側に近づいた第１の状態と、当該表示画面が当該前面側から離れた第２の状態との少なくとも２つの状態をとることができ、
前記第２の状態から前記第１の状態へ前記表示機構が変位すると、前記アンテナが、前記装置本体の前面側へ近づく請求項１に記載の画像形成装置。
【請求項３】
前記表示機構は、回転軸を中心に回転することで前記装置本体に対する変位を行い、さらに、当該回転軸が延びる方向に沿う側縁を有し、
前記アンテナは、前記回転軸と前記側縁との間に設置されているとともに、当該回転軸および当該側縁のうちの当該回転軸に近い側に設置されていることを特徴とする請求項１又は２に記載の画像形成装置。
【請求項４】
前記装置本体には、前記画像形成装置を制御する制御部がさらに設けられ、
前記表示機構には、当該表示機構における表示を制御する制御基板が設けられ、
前記制御部と前記制御基板とを電気的に接続する接続線が設けられ、
前記アンテナは、前記制御基板に接続され、前記接続線を介して前記制御部に接続されていることを特徴とする請求項１乃至３の何れかに記載の画像形成装置。
【請求項５】
前記表示機構に設けられた前記アンテナは、前記他のアンテナとは反対側に設けられていることを特徴とする請求項１乃至４の何れかに記載の画像形成装置。
【請求項６】
前記表示機構が前記第２の状態にあるときには、携帯端末をかざす先が前記他のアンテナであることを示す案内をユーザに対して行い、当該表示機構が当該第２の状態以外にあるときには、携帯端末をかざす先が前記表示機構側アンテナであることを示す案内をユーザに対して行う案内手段を備えることを特徴とする請求項２に記載の画像形成装置。
【請求項７】
前記アンテナは前記表示機構の右側に位置することを特徴とする請求項１乃至６に記載の画像形成装置。
【請求項８】
前記表示機構は、画像の形成が行われた用紙の排出部より上側に位置することを特徴とする請求項１乃至７に記載の画像形成装置。
【手続補正２】
【補正対象書類名】明細書
【補正対象項目名】０００５
【補正方法】変更
【補正の内容】
【０００５】
請求項１に記載の発明は、用紙への画像形成を行う画像形成手段を含む装置本体と、表示画面を有し、前記装置本体に対し変位可能に設けられるとともに水平面に対して当該表示画面を傾斜させることができるように変位可能に設けられ、携帯端末との通信に用いられるアンテナが設置され、情報の表示を行う表示機構と、前記装置本体の、前記アンテナと携帯端末との通信が行われる距離よりも離れた位置に設けられる、前記アンテナとは異なる他のアンテナと、を備え、前記表示画面が水平面に対して傾斜した状態では、当該表示画面が延びる方向に沿って且つ当該表示画面の上側および下側へ当該表示画面を延ばしていった先に前記装置本体が位置しない画像形成装置である。
請求項２に記載の発明は、前記表示機構は、前記表示画面を有し、当該表示画面が前記装置本体の前面側に近づいた第１の状態と、当該表示画面が当該前面側から離れた第２の状態との少なくとも２つの状態をとることができ、前記第２の状態から前記第１の状態へ前記表示機構が変位すると、前記アンテナが、前記装置本体の前面側へ近づく請求項１に記載の画像形成装置である。
請求項３に記載の発明は、前記表示機構は、回転軸を中心に回転することで前記装置本体に対する変位を行い、さらに、当該回転軸が延びる方向に沿う側縁を有し、前記アンテナは、前記回転軸と前記側縁との間に設置されているとともに、当該回転軸および当該側縁のうちの当該回転軸に近い側に設置されていることを特徴とする請求項１又は２に記載の画像形成装置である。
請求項４に記載の発明は、前記装置本体には、前記画像形成装置を制御する制御部がさらに設けられ、前記表示機構には、当該表示機構における表示を制御する制御基板が設けられ、前記制御部と前記制御基板とを電気的に接続する接続線が設けられ、前記アンテナは、前記制御基板に接続され、前記接続線を介して前記制御部に接続されていることを特徴とする請求項１乃至３の何れかに記載の画像形成装置である。
請求項５に記載の発明は、前記表示機構に設けられた前記アンテナは、前記他のアンテナとは反対側に設けられていることを特徴とする請求項１乃至４の何れかに記載の画像形成装置である。
請求項６に記載の発明は、前記表示機構が前記第２の状態にあるときには、携帯端末をかざす先が前記他のアンテナであることを示す案内をユーザに対して行い、当該表示機構が当該第２の状態以外にあるときには、携帯端末をかざす先が前記表示機構側アンテナであることを示す案内をユーザに対して行う案内手段を備えることを特徴とする請求項２に記載の画像形成装置である。
請求項７に記載の発明は、前記アンテナは前記表示機構の右側に位置することを特徴とする請求項１乃至６に記載の画像形成装置である。
請求項８に記載の発明は、前記表示機構は、画像の形成が行われた用紙の排出部より上側に位置することを特徴とする請求項１乃至７に記載の画像形成装置である。